(57)【要約】【課題】確実に使用が許可されていない電気機器に対する電源供給を遮断することができる電源装置を提供する。【解決手段】コンセント認証処理管理部３５が、各コンセントユニット３４Ａ〜３４Ｃの制御部３４４との通信により複数の制御部３４４の何れか１つが識別情報を受信している状態と判定した場合に認証許可を出さず、複数の制御部３４４の何れも識別情報を受信していない状態と判定した場合に認証許可を出す。制御部３４４は、プラグ挿入検出部３４６により電気機器２が接続されていると判定された場合に、コンセント認証処理管理部３５により認証許可されない間はリレー３４２オフ制御し、コンセント認証処理管理部３５により認証許可されるのを待ってリレー３４２をオン制御して電気機器２から送信される識別情報の受信を開始する。【選択図】図１
2010103747.tif 000002
【特許請求の範囲】
【請求項１】
電力線から分岐された複数の分岐配線と、前記分岐配線上に設けられた電気機器が接続される複数のコンセントと、前記分岐配線から前記コンセントに接続された電気機器に対する電源の供給をオンオフする前記コンセント毎に設けられた複数のスイッチ手段と、前記コンセントに接続された電気機器から識別情報を受信する前記複数のコンセント毎に設けられた複数の受信手段と、使用が許可されている電気機器の識別情報が記憶された記憶手段と、前記コンセントに前記電気機器が接続されているか否かを判定する前記コンセント毎に設けられた複数の第１判定手段と、前記第１判定手段により前記電気機器が接続されていると判定されたコンセントに対応する受信手段が前記記憶手段に記憶された識別情報と一致する識別情報を受信しなかった場合に当該電気機器が接続されていると判定されたコンセントに対応する前記スイッチ手段をオフ制御して前記分岐配線から前記コンセントに接続された前記電気機器に対する電源の供給を遮断するスイッチ制御手段と、を備えた電源装置において、
前記複数の受信手段の何れか１つが識別情報を受信している状態か前記複数の受信手段の何れも識別情報を受信していない状態かを判定する第２判定手段をさらに備え、
前記スイッチ制御手段が、前記第１判定手段により前記電気機器が接続されていると判定された場合に、前記第２判定手段により前記複数の受信手段の何れか１つが識別情報を受信している状態であると判定されている間は当該電気機器が接続されていると判定されたコンセントに対応する前記スイッチ手段をオフ制御し、前記第２判定手段により前記複数の受信手段の何れも識別情報を受信していないと判定されるのを待って当該電気機器が接続されていると判定されたコンセントに対応する前記スイッチ手段をオン制御して前記受信手段による識別情報の受信を開始する
ことを特徴とする電源装置。
【請求項２】
前記スイッチ制御手段が、前記コンセント毎に設けられ、
前記第２判定手段と、前記複数のスイッチ制御手段及び前記受信手段の各々と、を接続する通信ラインが設けられ、
前記第２判定手段が、前記通信ラインを介しての前記受信手段との通信に基いて前記判定を行い、その判定結果を前記複数のスイッチ制御手段に対してそれぞれ送信する
ことを特徴とする請求項１に記載の電源装置。
【請求項３】
前記第２判定手段が、前記分岐配線を流れる高周波信号の有無に基づいて前記判定を行っている
ことを特徴とする請求項１に記載の電源装置。
【発明の詳細な説明】
【技術分野】
【０００１】
本発明は、電源装置に関するものである。
【背景技術】
【０００２】
近年の携帯電話の普及やパソコンの小型化に伴い、電子機器を持ち歩く人が増えた。この結果、講堂やホール、会議室などの壁にあるコンセントを利用して、個人所有のモバイル機器を稼動したり、充電する人が現れた。コンセントは、本来は掃除機やプロジェクタをつなぐなどコンセントが設置された建物の所有者が使うものであり、コンセントを無断で使用（盗電）した結果、窃盗犯として罰せられた人もいる。
【０００３】
そこで、盗電を防止するために例えば特許文献１に記載されたコンセントが知られている。特許文献１に記載されたコンセントは、電気機器が接続されたと判断すると、電気機器に対して識別情報の送信を要求する。コンセントに接続された電気機器は、識別情報送信要求を受信すると、これに応じて識別情報を送信する。コンセントは、電気機器から受信した識別情報を照合し、不正使用の場合は電気機器に対する電力の供給を遮断する。なお、コンセントと電気機器との識別情報の送受信は、電気機器に対する電源を供給するための電力線を通じて行う電力線通信を用いて行っている。
【０００４】
しかしながら、上述した従来の電源装置では下記に示すような問題があった。一般的に建物に設けられた電源装置は、図６に示すような構成となっている（例えば特許文献２）。同図に示すように、電源装置３は、屋内に引き込まれた電力線としての屋内配線３１と、この屋内配線３１を分岐する分電盤３２と、この分電盤３２により分岐された複数の分岐配線３３と、分岐配線３３上に設けられた複数のコンセント３４１と、から構成されている。図６に示すような電源装置３に電力線通信を用いると、図中点線矢印で示すように、分岐配線３３や分電盤３２を通して、コンセント３４１と電気機器２との間の通信が、他のコンセント３４１や電気機器２に伝わる。
【０００５】
よって、例えば、図７に示すように、同じ分岐配線３３上に２つのコンセント３４１Ｘ、３４１Ｙが設けられ、２つのコンセント３４１Ｘ、３４１Ｙは互いに同じ識別情報Ａの電気機器２の使用が認められているとする。このような電源装置３において、コンセント３４１Ｘに識別情報Ａを持った使用が許可された電気機器２ａをつなぐと、コンセント３４１Ｘから送信要求が出される。電気機器２ａはこの送信要求に応じて識別情報Ａを送信する。
【０００６】
このとき、コンセント３４１Ｙに識別情報Ａを持たない使用が許可されていない電気機器２ｂをつなぐと、コンセント３４１Ｙから送信要求が出される。コンセント３４１Ｙから送信要求が送信されても電気機器２ｂは識別情報Ａを送信しないため、本来ならばコンセント３４１Ｙから電気機器２ｂに対する電源供給は遮断される。しかしながら、電気機器２ａ、２ｂをそれぞれほぼ同時にコンセント３４１Ｘ、３４１Ｙにつなぐと、分岐配線３３を通じて電気機器２ａから送信された識別情報Ａがコンセント３４１Ｙに届いてしまう。
【０００７】
この結果、使用が許可されていない電気機器２ｂに対しても電源が供給されてしまい、確実に使用が許可されていない電気機器２ｂに対する電源を遮断することができない、という問題が生じる。講堂やホール、会議室など規模の大きい建物では、コンセントの数も多いので、使用が許可された電気機器と使用が許可されていない電気機器とが同時にコンセントにつながる可能性が高い。
【０００８】
ここでは例としてコンセントと電気機器との通信に電力線通信を用いていたが、例えば、無線通信を用いても漏れ電波などの混信により同様のことが起こる。また、ここでは例として同じ分岐配線上に設けられたコンセントに使用が許可されていない電気機器と使用が許可されている電気機器とを同時に接続した場合について説明したが、例えば、別の分岐配線に設けられたコンセントに使用が許可されていない電気機器と使用が許可されている電気機器とを同時に接続しても同様のことが起こる。
【特許文献１】特開２００６−１９７８８号公報
【特許文献２】特開２００６−２９５６９２号公報
【発明の開示】
【発明が解決しようとする課題】
【０００９】
そこで、本発明は、上記のような問題点に着目し、確実に使用が許可されていない電気機器に対する電源供給を遮断することができる電源装置を提供することを課題とする。
【課題を解決するための手段】
【００１０】
上記課題を解決するためになされた請求項１記載の発明は、電力線から分岐された複数の分岐配線と、前記分岐配線上に設けられた電気機器が接続される複数のコンセントと、前記分岐配線から前記コンセントに接続された電気機器に対する電源の供給をオンオフする前記コンセント毎に設けられた複数のスイッチ手段と、前記コンセントに接続された電気機器から識別情報を受信する前記複数のコンセント毎に設けられた複数の受信手段と、使用が許可されている電気機器の識別情報が記憶された記憶手段と、前記コンセントに前記電気機器が接続されているか否かを判定する前記コンセント毎に設けられた複数の第１判定手段と、前記第１判定手段により前記電気機器が接続されていると判定されたコンセントに対応する受信手段が前記記憶手段に記憶された識別情報と一致する識別情報を受信しなかった場合に当該電気機器が接続されていると判定されたコンセントに対応する前記スイッチ手段をオフ制御して前記分岐配線から前記コンセントに接続された前記電気機器に対する電源の供給を遮断するスイッチ制御手段と、を備えた電源装置において、前記複数の受信手段の何れか１つが識別情報を受信している状態か前記複数の受信手段の何れも識別情報を受信していない状態かを判定する第２判定手段をさらに備え、前記スイッチ制御手段が、前記第１判定手段により前記電気機器が接続されていると判定された場合に、前記第２判定手段により前記複数の受信手段の何れか１つが識別情報を受信している状態であると判定されている間は当該電気機器が接続されていると判定されたコンセントに対応する前記スイッチ手段をオフ制御し、前記第２判定手段により前記複数の受信手段の何れも識別情報を受信していないと判定されるのを待って当該電気機器が接続されていると判定されたコンセントに対応する前記スイッチ手段をオン制御して前記受信手段による識別情報の受信を開始することを特徴とする電源装置に存する。
【００１１】
請求項２記載の発明は、前記スイッチ制御手段が、前記コンセント毎に設けられ、前記第２判定手段と、前記複数のスイッチ制御手段及び前記受信手段の各々と、を接続する通信ラインが設けられ、前記第２判定手段が、前記通信ラインを介しての前記受信手段との通信に基いて前記判定を行い、その判定結果を前記複数のスイッチ制御手段に対してそれぞれ送信することを特徴とする請求項１に記載の電源装置に存する。
【００１２】
請求項３記載の発明は、前記第２判定手段が、前記分岐配線を流れる高周波信号の有無に基づいて前記判定を行っていることを特徴とする請求項１に記載の電源装置に存する。
【発明の効果】
【００１３】
以上説明したように請求項１記載の発明によれば、スイッチ制御手段が、コンセントに電気機器が接続されると、複数の受信手段の何れも識別情報を受信していない状態になるのを待ってそのコンセントに対応するスイッチ手段をオン制御して電気機器が接続されたコンセントに対応する受信手段による識別情報の受信を開始するので、コンセントに接続された電気機器から送信された識別情報が別のコンセントに届くことがなく、確実に使用が許可されていない電気機器に対する電源供給を遮断することができる。
【００１４】
請求項２記載の発明によれば、第２判定手段と複数のスイッチ制御手段との間で行われる判定結果の送受信、第２判定手段と複数の受信手段との間で行われる通信により、第２判定手段が正確に複数の受信手段の何れも識別情報を受信していない状態か、複数の受信手段の１つでも識別情報を受信している状態であるかを判定することができる。
【００１５】
請求項３記載の発明によれば、２判定手段が分岐配線を流れる高周波信号の有無に基づいて判定を行っているので、複数の受信手段と第２判定手段との間に通信ラインを設けることなく、複数の受信手段の何れも識別情報を受信していない状態か、複数の受信手段の１つでも識別情報を受信している状態であるかを判定することができ、コストダウンを図ることができる。
【発明を実施するための最良の形態】
【００１６】
以下、本発明の実施の形態を図面に基づいて説明する。図１に示すように、電源認証システム１は、電気機器２と、電源装置３と、を有している。上記電気機器２は、電源装置３からの電源供給を受けて動作する機器である。電気機器２は、プラグ２１と、電気機器本体２２と、を有している。プラグ２１は、後述する電源装置３のコンセント３４１に差し込まれて、電気機器２と電源装置３とを接続する。
【００１７】
電気機器本体２２は、動作部２２１と、識別情報記憶部２２２と、変調部２２３と、制御部２２４と、有している。動作部２２１は、電源装置３からの電源供給を受けて動作する電気機器２の主要部である。識別情報記憶部２２２は、使用が許可された電子機器２に与えられる識別情報Ｘが記憶されたメモリである。変調部２２３は、後述する制御部２２４の制御によって動作し、識別情報記憶部２２２に記憶された識別情報Ｘを高周波信号に変調して、動作部２２１とプラグ２１との間を接続する電力線Ｌ１に送信するものである。制御部２２４は、例えばＣＰＵなどから構成されていて、電源供給の開始に応じて識別情報記憶部２２２に記憶された識別情報Ｘを変調部２２３に変調させて電力線Ｌ１に送信する処理を行う。
【００１８】
上記電源装置３は、電力線としての屋内配線３１と、分電盤３２と、複数の分岐配線３３と、複数のコンセントユニット３４Ａ〜３４Ｃと、コンセント認証処理監視部３５と、を有している。上記屋内配線３１は、屋内に取り込まれた電力線である。分電盤３２は、屋内配線３１を分岐する装置である。分岐配線３３は、上記分電盤３２により屋内配線３１を複数に分岐した配線である。
【００１９】
コンセントユニット３４Ａ〜３４Ｃは、上述した分岐配線３３をさらに分岐した分岐配線３３Ａ〜３３Ｃにそれぞれ設けられている。上記コンセントユニット３４Ａ〜３４Ｃは各々、コンセント３４１と、スイッチとしてのリレー３４２と、復調部３４３と、制御部３４４と、記憶手段としての識別情報記憶部３４５と、第１判定手段としてのプラグ挿入検出部３４６と、を備えている。コンセント３４１は、電気機器２のプラグ２１が挿入されると、電気機器２と電源装置３とを接続する。リレー３４２は、分岐配線３３Ａ〜３３Ｃ上にそれぞれ設けられている。リレー３４２は、分岐配線３３Ａ〜３３Ｃからコンセン３４１に接続された電気機器２に対する電源の供給をオンオフするスイッチである。
【００２０】
復調部３４３は各々、分岐配線３３Ａ〜３３Ｃを通じて伝送される識別情報を復調するものである。制御部３４４は、リレー３４２のオンオフ制御、復調部３４３の制御を司るもので、ＣＰＵなどから構成されている。識別情報記憶部３４５は、使用が許可されている電気機器２の識別情報Ｘを記憶するメモリであり、例えばＲＯＭからなる。プラグ挿入検出部３４６は、コンセント３４１にプラグ２１が挿入されているか否かを検出するものである。プラグ挿入検出部３４６は、例えばコンセント３４１に接続されている分岐配線３３Ａ〜３３Ｃに流れる電流を検知し、電流が流れた場合にプラグ２１が挿入されていることを検出する。コンセント認証処理監視部３５は、例えばＣＰＵなどから構成されていて、通信ラインとしての認証開始申告ラインＬ２１及び認証許可ラインＬ２２を介して各コンセントユニット３４Ａ〜３４Ｃの制御部３４４に接続されている。
【００２１】
次に、上述した電源認証システム１の動作について図２のフローチャートを参照して説明する。なお、本実施形態では、説明を簡単にするためにコンセントユニット３４Ａの制御部３４４の動作を代表して説明する。コンセントユニット３４Ａの制御部３４４は、リレー３４２をオフ制御する（ステップＳ１）。コンセントユニット３４Ａのコンセント３４１に電気機器２のプラグ２１を差し込むと、コンセントユニット３４Ａのプラグ挿入検出部３４６がプラグ挿入を検出してその旨を制御部３４４に対して供給する。制御部３４４は、プラグ挿入検出部３４６からプラグ挿入を検出した旨が供給されると（ステップＳ２でＹ）、認証開始申告ラインＬ２１をＨＩレベルにする（ステップＳ３）。
【００２２】
コンセントユニット３４Ａの認証開始申告ラインＬ２１がＬＯレベルからＨＩレベルになると（ステップＳ２１でＹ）、コンセント認証処理監視部３５は、他のコンセントユニット３４Ｂ、３４Ｃの認証開始申告ラインＬ２１がＨＩレベルか否かを判断する（ステップＳ２２）。コンセント認証処理監視部３５は、他のコンセントユニット３４Ｂ、３４Ｃの認証開始申告ラインＬ２１がＨＩレベルであれば（ステップＳ２２でＹ）、コンセントユニット３４Ａ〜３４Ｃの制御部３４４の何れか１つが電気機器２から識別情報を受信する受信動作を行っている状態であり混信の恐れがあると判断して、再びステップＳ２２に戻り、認証許可ラインＬ２２のＬＯレベルを維持する。
【００２３】
これに対して、コンセント認証処理監視部３５は、他のコンセントユニット３４Ｂ、３４Ｃの認証開始申告ラインＬ２１がＬＯレベルである場合は（ステップＳ２２でＮ）、コンセントユニット３４Ａ〜３４Ｃの何れも受信動作を行っていない状態であり混信の恐れがないと判断して、コンセントユニット３４Ａの認証許可ラインＬ２２をＨＩレベルにする（ステップＳ２３）。
【００２４】
コンセント認証処理監視部３５によりコンセントユニット３４Ａの認証許可ラインＬ２２がＨＩレベルになると（ステップＳ４でＹ）、コンセントユニット３４Ａの制御部３４４はリレー３４２をオン制御した後（ステップＳ５）、受信手段として働き、電気機器２からの識別情報を受信する受信動作を開始する（ステップＳ６）。上記リレー３４２がオンすると、コンセントユニット３４Ａのコンセント３４１に接続された電機機器２に電源が供給される。この電源供給に応じて電気機器２の制御部２２４は、動作を開始して識別情報記憶部２２２に格納された識別情報Ｘを変調部２２３により高周波信号に変調して電力線Ｌ１に対して送信した後（ステップＳ４１）、動作を終了する。
【００２５】
識別情報Ｘは、電力線Ｌ１、プラグ２１、コンセント３４１、分岐配線３３Ａの順に伝送される。コンセントユニット３４Ａの制御部３４４は、復調部３４３を介して分岐配線３３Ａに伝送された識別情報Ｘを受信すると（ステップＳ７でＹ）、上記受信動作を終了する（ステップＳ８）。その後、コンセントユニット３４Ａは、ステップＳ７で受信した識別情報と識別情報記憶部３４５内に記憶されている識別情報Ｘとが一致するか否かを判定する認証処理を行う（ステップＳ９）。ステップＳ７で受信した識別情報と識別情報記憶部３４５に記憶されている識別情報Ｘとが一致していれば（ステップＳ９でＹ）、コンセントユニット３４Ａの制御部３４４は、使用が許可された電気機器２がコンセント３４１に接続されていると判定して（ステップＳ１０）、直ちにステップＳ１５に進んで、リレー３４２のオンを維持して電気機器２に対する電源供給を維持する。
【００２６】
これに対して、ステップＳ７で受信した識別情報と識別情報記憶部３４５に記憶されている識別情報Ｘとが一致していなければ（ステップＳ９でＮ）、コンセントユニット３４Ａの制御部３４４は、使用が許可されていない電気機器２がコンセント３４１に接続されていると判定して（ステップＳ１３）、リレー３４２をオフして（ステップＳ１４）、コンセント３４１に接続されている電気機器２に対する電源供給を遮断した後に、ステップ１５に進む。また、リレー３４２をオンしてから所定時間経過しても識別情報が受信されなかった場合（ステップＳ１１でＹ）、コンセントユニット３４Ａの制御部３４４は、受信動作を終了した後に（ステップＳ１２）、上記ステップＳ１３に進む。
【００２７】
上述したステップＳ１５において、コンセントユニット３４Ａの制御部３４４は、認証開始申告ラインＬ２１をＬＯレベルにして識別情報の受信動作を終了した旨をコンセント認証処理監視部３５に対して送信する。その後、プラグ挿入検出部３４６によりプラグ２１の抜き取りが検出されるのを待って（ステップＳ１６でＹ）、コンセントユニット３４Ａの制御部３４４は、ステップＳ１に戻り、リレー３４２を再びオフする。認証開始申告ラインＬ２１がＨＩレベルからＬＯレベルになると（ステップＳ２４でＹ）、コンセント認証処理監視部３５は、コンセントユニット３４Ａの認証許可ラインＬ２２をオフにして（ステップＳ２５）、ステップＳ２１に戻る。
【００２８】
上述した実施形態によれば、コンセント認証処理監視部３５が、第２判定手段として働き、認証開始申告ラインＬ２１の状況に基いて複数のコンセントユニット３４Ａ〜３４Ｃの制御部３４４の何れか１つが受信動作を行っている状態か、複数のコンセントユニット３４Ａ〜３４Ｃの制御部３４４の何れも受信動作を行っていない状態か、を判定している（以下この判定を受信状態判定と略記する）。また、コンセントユニット３４Ａ〜３４Ｃの制御部３４４は、スイッチ制御手段として働き、コンセント３４１に電気機器２が接続された場合に、認証許可ラインＬ２２がＬＯレベルでありコンセント認証処理監視部３５により複数のコンセントユニット３４Ａ〜３４Ｃの制御部３４４の何れか１つが受信動作を行っている状態であると判定されている間はリレー３４２をオフ制御し、認証許可ラインＬ２２がＨＩレベルとなってコンセント認証処理監視部３５により複数のコンセントユニット３４Ａ〜３４Ｃの制御部３４４の何れも受信動作を行っていない状態であると判定されるのを待ってリレー３４２をオン制御して受信動作を開始させている。これにより、コンセント３４１に接続された電気機器２から送信された識別情報が別のコンセント３４１に届くことがなく、確実に使用が許可されていない電気機器２に対する電源供給を遮断することができる。
【００２９】
また、上述した実施形態によれば、コンセント認証処理監視部３５と、コンセントユニット３４Ａ〜３４Ｃの制御部３４４と、の間に認証開始申告ラインＬ２１、認証許可ラインＬ２２が設けられている。そして、コンセント認証処理監視部３５が、認証開始申告ラインＬ２１の状況に基いて上記受信状態判定を行い、その判定結果を認証許可ラインＬ２２から制御部３４４に対してそれぞれ送信している。よって、コンセント認証処理監視部３５とコンセントユニット３４Ａ〜３４Ｃの制御部３４４との間で行われる通信により、コンセント認証処理監視部３５が正確に受信状態判定を行うことができる。
【００３０】
また上述した実施形態によれば、電気機器２が識別情報を送信するタイミングをコンセントユニット３４Ａ〜３４Ｃが送信する送信要求の受信ではなく、電源の供給開始に応じて識別信号を送信している。これにより、電気機器２が分岐配線３３、３３Ａ〜３３Ｃや分電盤３２を伝わって漏れた他のコンセントユニット３４Ａ〜３４Ｃの送信要求を受信し、識別情報を送信することを防ぐことができる。また、コンセントユニット３４Ａ〜３４Ｃ側に送信要求を送信するための送信機能と、電気機器２側に送信要求を受信するための受信機能とが必要なくなり、システム構成が簡素化する。
【００３１】
第２実施形態
次に、第２実施形態について説明する。第１実施形態と第２実施形態と異なる点は、コンセント認証処理監視部３５とコンセントユニット３４Ａ〜３４Ｃの制御部３４４とを接続する通信ラインである。第１実施形態ではコンセント認証処理監視部３５とコンセントユニット３４Ａ〜３４Ｃの制御部３４４のそれぞれとをつなぐ手段を認証開始申告ラインＬ２１と認証許可ラインＬ２２との２本を用いていた。しかしながら、第２実施形態のコンセント認証システム３５では、図３に示すように、コンセント認証処理監視部３５とコンセントユニット３４Ａ〜３４Ｃの制御部３４４とを有線ＬＡＮＬ３でつなぐことも考えられる。このとき、コンセントユニット３４Ａ〜３４Ｃの識別情報記憶部３４５には、個々のコンセントＩＤ「Ａ」、［Ｂ］、「Ｃ」も記憶されている。
【００３２】
上述した構成の電源認証システム１の動作について図４のフローチャートを参照して以下説明する。なお、図２について既に説明したフローチャートと同等の部分には同一符号を付してその詳細な説明を省略する。コンセントユニット３４Ａ〜３４Ｃの制御部３４４は、まず図２と同様にステップＳ１及びＳ２を行う。その後、コンセントユニット３４Ａ〜３４Ｃの制御部３４４は、ステップＳ２でＹと判定されると、コンセント認証処理監視部３５宛のコンセンＩＤを有線ＬＡＮＬ３に送信する（ステップＳ１７）。
【００３３】
コンセント認証処理監視部３５は、コンセントＩＤを受信すると（ステップＳ２６でＹ）、受信したコンセントＩＤがＩＤメモリの１番目に既に格納されているか否かを判定する（ステップＳ２７）。１番目のＩＤメモリに格納されていなければ（ステップＳ２７でＮ）、コンセント認証処理監視部３５は、ステップＳ２６で受信したコンセントＩＤをＩＤメモリの最後尾に格納する（ステップＳ２８）。
【００３４】
このとき、最後尾がＩＤメモリの１番目であると（ステップＳ２９でＹ）、コンセント認証処理監視部３５は、コンセントユニット３４Ａ〜３４Ｃの制御部３４４の何れも受信動作を行っていないと判定して１番目のＩＤメモリに格納されたコンセントＩＤを宛先にした認証許可信号を送信する（ステップＳ３０）。また、最後尾がＩＤメモリの１番目でなければ（ステップＳ２９でＮ）、コンセント認証処理監視部３５は、コンセントユニット３４Ａ〜３４Ｃの制御部３４４の何れか１つが受信動作を行っていると判定して認証許可信号を送信することなく、ステップＳ２６に戻る。
【００３５】
コンセントユニット３４Ａ〜３４Ｃの制御部３４４は、有線ＬＡＮＬ３を介して自己のコンセントＩＤが宛先となった認証許可信号を受信すると（ステップＳ１８）、図２と同様にステップＳ５〜Ｓ１４の動作を行う。ステップＳ５〜Ｓ１４の動作を終了するとコンセントユニット３４Ａ〜３４Ｃの制御部３４４は、受信動作が終了した旨を伝えるために再びコンセント認証処理監視部３５宛のコンセントＩＤを有線ＬＡＮＬ３に送信する（ステップ１９）。
【００３６】
一方、コンセント認証処理監視部３５は、受信したコンセントＩＤが１番目のＩＤメモリに既に格納されていれば（ステップ２７でＹ）、コンセントＩＤに対応するコンセントユニット３４Ａ〜３４Ｂの制御部３４４による受信動作が終了したと判断して、１番目のコンセントＩＤを消去してその他のコンセントＩＤを１つずつ繰り上げる（ステップＳ３１）。その後、１番目のＩＤメモリにコンセントＩＤが格納されていれば（ステップ３２でＹ）、コンセント認証処理監視部３５は、１番目のＩＤメモリを宛先とした認証許可信号を送信した後に（ステップＳ３０）、ステップＳ２６に戻る。１番目のＩＤメモリにコンセントＩＤが格納されていなければ（ステップＳ３２でＮ）、コンセント認証処理監視部３５は、受信動作の許可待ちをしているコンセントユニット３４Ａ〜３４Ｃがないと判断して直ちにステップＳ２６に戻る。
【００３７】
以上の動作によれば、例えば、コンセントユニット３４Ａ〜３４Ｃの何れにも電気機器２が接続していない状態でコンセントユニット３４Ａに電気機器２が接続されると、コンセント認証処理監視部３５は、ＩＤメモリの１番目にコンセントユニット３４ＡのコンセントＩＤ「Ａ」を格納して、コンセントＩＤ「Ａ」宛の認証許可信号を送信する。このとき、コンセントユニット３４Ｂに電気機器２が接続されると、コンセント認証処理監視部３５は、ＩＤメモリの２番目にコンセントユニット３４ＢのコンセントＩＤ「Ｂ」を格納するだけで、コンセントＩＤ「Ｂ」宛の認証許可信号は送信しない。
【００３８】
その後、コンセントユニット３４ＡのステップＳ６〜Ｓ１４の認証処理が終わって再びコンセントＩＤ「Ａ」を受信すると、コンセント認証処理監視部３５は、１番目のＩＤメモリに既に格納されたコンセントＩＤ「Ａ」を消去し、２番目のＩＤメモリに格納されたコンセントＩＤ「Ｂ」を１番目のＩＤメモリに繰り上げて、コンセントＩＤ「Ｂ」宛の認証許可信号を送信する。よって、コンセント認証処理管理部３５とコンセントユニット３４Ａ〜３４Ｃの制御部３４４との間を有線ＬＡＮＬ３で接続しても、第１実施形態と同様の効果を得ることができる。
【００３９】
なお、上述した第１及び第２実施形態では、個々のコンセントユニット３４Ａ〜３４Ｃとコンセント認証処理監視部３５とを有線で接続していたが、本発明はこれに限ったものではない。無線ＬＡＮなどの電波を利用した無線通信を用いてもよい。
【００４０】
また、上述した第１及び第２実施形態では、１つのコンセント認証処理監視部３５にコンセントユニット３４Ａ〜３４Ｃの制御部３４４をそれぞれ接続して、上述した受信状態判定を行っていたが、本発明はこれに限ったものではない。例えば、図５に示すように、コンセント認証処理監視部３５をコンセントユニット３４Ａ〜３４Ｃにそれぞれ設ける。そして、分岐配線３３に高周波信号が流れているかを検出して、高周波信号が流れていればコンセントユニット３４Ａ〜３４Ｃの制御部３４４の１つでも受信動作を行っていると判定し、高周波信号が流れていなければコンセントユニット３４Ａ〜３４Ｃの制御部３４４の何れも受信動作を行っていないと判定して、その旨を制御部３４４に対して出力するようにしてもよい。
【００４１】
これは、各コンセント３４１が分岐配線３３Ａ〜３３Ｃ、３３や分電盤３２でつながっていること、電気機器２が識別情報を高周波に変調していること、制御部３４４が受信動作を行っている間だけ高周波信号が流れることを利用したものである。このようにすれば、コンセント認証処理監視部３５が分岐配線３３を流れる高周波信号の有無に基づいて判定を行っているので、第１及び第２実施形態のように、コンセント認証処理管理３５を複数の制御部３４４のそれぞれと接続しなくても、上述した受信状態判定を行うことができ、コストダウンを図ることができる。
【００４２】
また、上述した第１及び第２実施形態によれば、制御部３４４は、ステップＳ６〜Ｓ１４の認証処理を終了した後に認証開始申告ラインＬ２２をＬＯレベルにしていたが、本発明はこれに限ったものではない。例えば、ステップＳ８やステップＳ１２の受信動作が終了した後に認証開始申告ラインＬ２２をＬＯレベルにしてもよい。
【００４３】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４４】
【図１】第１実施形態における本発明の電源装置を組み込んだ電源認証システムの一実施形態を示すブロック図である。
【図２】図１に示すコンセント認証処理監視部、電源装置の制御部、及び、電気機器の制御部、の処理手順を示すフローチャートである。
【図３】第２実施形態における本発明の電源装置を組み込んだ電源認証システムの一実施形態を示すブロック図である。
【図４】図３に示すコンセント認証処理監視部、電源装置の制御部、及び、電気機器の制御部、の処理手順を示すフローチャートである。
【図５】他の実施形態における本発明の電源装置を組み込んだ電源認証システムの一実施形態を示すブロック図である。
【図６】従来の電源装置の一例を示すブロック図である。
【図７】従来の電源装置の一例を示すブロック図である。
【符号の説明】
【００４５】
２              電気機器
３              電源装置
３１            屋内配線（電力線）
３３            分岐配線
３３Ａ〜３３Ｃ  分岐配線
３５            コンセント認証処理監視部（第２判定手段）
３４１          コンセント
３４２          リレー（スイッチ）
３４４          制御部（受信手段、スイッチ制御手段）
３４５          識別情報記憶部（記憶手段）
３４６          プラグ挿入検出部（第１判定手段）
Ｌ２１          認証開始申告ライン（通信ライン）
Ｌ２２          認証許可ライン（通信ライン）
【図１】
2010103747.tif 000003
【図２】
2010103747.tif 000004
【図３】
2010103747.tif 000005
【図４】
2010103747.tif 000006
【図５】
2010103747.tif 000007
【図６】
2010103747.tif 000008
【図７】
2010103747.tif 000009